(57)【特許請求の範囲】
【請求項１】
パトローネ本体の壁面に、未露光表示位置，一部露光済み表示位置，露光済み表示位置，現像済み表示位置の４位置のそれぞれに対応させて開口が形成されているとともに、スプールと一体に回動し、前記４位置に移動自在な使用表示部材を備え、かつスプール回転用の駆動軸が係合するキー溝をパトローネ本体の両側面に露呈させた写真フイルムパトローネを収納する容器において、
前記パトローネ本体の両側面のうち少なくともいずれか一方と対峙する容器内壁面に、前記使用表示部材が未露光表示位置にあるときに、前記キー溝に係合してスプールの回転を規制する薄肉状の突出片を一体に設けたことを特徴とする写真フイルムパトローネ用容器。
【発明の詳細な説明】
【０００１】
【発明の属する技術分野】
本発明は、使用表示機能を備える写真フイルムパトローネを収納する容器に関するものである。
【０００２】
【従来の技術】
現在種々の写真フイルムが用いられているが、一般撮影用としては円筒状をしたパトローネ本体の内部にスプールを回動自在に設け、このスプールに３５ｍｍ幅の帯状の写真フイルムの終端部を固定して巻きつけた１３５タイプの写真フイルムパトローネが広く利用されている。最近では、パトローネ本体を樹脂成形品で組み立てるとともに、未使用状態では写真フイルムの全てをパトローネ本体内に巻き込んでおき、使用時にスプールを回転させることによって写真フイルムをパトローネ本体外に送り出すようにした写真フイルムパトローネが販売されている。このような写真フイルムパトローネでは、写真フイルムの先端部までパトローネ本体の内部に巻き込んでしまうため、外観からは写真フイルムが露光済みであるか否か、また現像済みであるか否かを識別することができない。このため、収納されている写真フイルムが未使用，露光済み，さらには現像済みのいずれの状態にあるのかを外観から簡単に識別できるように、パトローネ本体に表示機能を付加したものがある。
【０００３】
図１０は、表示機能を備える写真フイルムパトローネの一例を示すものである。写真フイルムパトローネ１０は、略半円筒形状をした上ケース１１と下ケース１２とを組み合わせてなるパトローネ本体１３の内部に、写真フイルム１４を巻き付けたスプール１５を回動自在に収納して構成されている。上・下ケース１１，１２には各々突出したポート部１１ａ，１２ａが形成されており、上ケース１１と下ケース１２とを組み合わせたときに、ポート部１１ａ，１２ａの合わせ目に写真フイルム１４を出入りさせるためのフイルム通路１７が形成される。フイルム通路１７には、ここからの入光を防止するための遮光蓋１８と、これの奥に配置され、写真フイルム１４の先端をすくい上げてフイルム通路１７へ導くための分離爪１９とが設けられている。遮光蓋１８は、フイルム通路１７を塞ぐ閉じ位置と、フイルム通路１７を開放して写真フイルム１４の出入りを許容する開き位置との間で回動自在に組み込まれる。
【０００４】
スプール１５は、スプール軸２０の両端部に一対のリップ付きフランジ２２ａ，２２ｂを取り付け、これらフランジ２２ａ，２２ｂの外側にデータディスク２３と扇状をした使用表示部材２４とを取り付けた構成となっている。データディスク２３および使用表示部材２４は、スプール軸２０と一体に回転するように取り付けられている。スプール軸２０の両端面にはそれぞれスプール軸孔２０ａ，２０ｂが形成されており、スプール１５は、スプール軸２０の両端面をパトローネ本体１３の両側面に露呈した状態で組み込まれる。
【０００５】
図１１および図１２に示すように、スプール軸孔２０ａ，２０ｂには、スプール軸２０の回転軸に対して放射方向に切り欠いてなるキー溝２１ａ，２１ｂが設けられている。キー溝２１ａ，２１ｂにはカメラ側の駆動軸が係合され、この駆動軸の回転によってスプール１５が回転される。なお、スプール軸孔２０ａ，２０ｂの直径Ｒａ，Ｒｂはそれぞれ４．０ｍｍ，３．５ｍｍに、またキー溝２１ａ，２１ｂの幅Ｗａ，Ｗｂはともに１．３ｍｍに構成されている。
【０００６】
図１０において、データディスク２３にはバーコード２５ａが印刷されたバーコードラベル２５が貼り付けられる。バーコード２５ａは写真フイルム１４の感度や露光枚数等の様々な情報を表しており、スプール１５がフイルム送り出し方向に回転された際に、上・下ケース１１，１２のそれぞれの一方の側面に形成された開口２６ａ，２６ｂを介してカメラ側に設けた読取りセンサによって読み取られる。
【０００７】
使用表示部材２４にはギヤ２７が一体に形成されており、このギヤ２７と噛み合うようにスプールロック２８がパトローネ本体１３に組み込まれる。スプールロック２８は、遮光蓋１８が閉じ位置にあるときにギヤ２７に係合してスプール１５の回転ロックを行い、不用意な写真フイルム１４の送り出しを防止し、また遮光蓋１８が開き位置にあるときにはギヤ２７との係合を解除する。また図１１に示すように、パトローネ本体１３の使用表示部材２４が組み込まれた側の側面には、４つの表示窓２９ａ〜２９ｄが形成されている。表示窓２９ａ〜２９ｄは、それぞれ未露光表示位置，一部露光済み表示位置，露光済み表示位置，および現像済み表示位置に対応させて形成されており、これらの表示窓２９ａ〜２９ｄのいずれから使用表示部材２４が露呈されているかによって、収納されている写真フイルム１４が露光済みであるか否か、また現像済みであるか否かを識別できるようになっている。そして、組み立てられた写真フイルムパローネ１０は、未露光表示位置に対応した表示窓２９ａから使用表示部材２４を露呈させた状態でスプール１５の回転がロックされ、出荷される。
【０００８】
このような写真フイルムパトローネ１０は、Ｐケースと称される写真フイルムパトローネ用容器に収納され、さらに小箱（紙箱）で包装して販売されている。写真フイルムパトローネ用容器は、有底の容器本体と、容器本体の開口端に緊密に装着される蓋とからなり、これらはいずれも樹脂の成形品で作られている。この容器は収納した写真フイルムを湿気から保護する機能をもち、一般に５〜１０ｍｇ／２４ｈｏｕｒ以下の高い防湿性能が要求される。また、この容器は、ポート部を突出させた形状の写真フイルムパトローネ１０をスペース効率良く収納するために、その水平断面形状がほぼ楕円形状となるように構成されている。
【０００９】
【発明が解決しようとする課題】
ところが、従来の写真フイルムパトローネ用容器は、容器本体の水平断面形状と写真フイルムパトローネの水平断面形状とが相似形とはなっていないことから、容器内で写真フイルムパトローネががたつきやすい。特に、スプールの軸方向に大きな衝撃力が加えられると、スプールの回転ロックが解除されて使用表示部材の係止位置が変更されやすいという問題がある。このため、例えば小売店への輸送中や、購入した写真フイルムパトローネの開封時に誤って落下させると、使用表示部材の係止位置が未露光表示位置以外に変更されてしまい、消費者には、購入したばかりであるにもかかわらず使用途中品であるとの誤認を招き、メーカーに対する不信感を抱かせる原因となる。
【００１０】
本発明は上記の問題を考慮してなされたもので、写真フイルムパトローネの使用が開始されるまで使用表示部材の係止位置が変更されることを防止できる写真フイルムパトローネ用容器を提供することを目的とする。
【００１１】
【課題を解決するための手段】
上記目的を達成するために、本発明の写真フイルムパトローネ用容器は、パトローネ本体の両側面のうち少なくともいずれか一方と対峙する容器内壁面に、使用表示部材が未露光表示位置にあるときに、キー溝に係合してスプールの回転を規制する薄肉状の突出片を一体に設けるものである。
【００１２】
【発明の実施の形態】
図１は、本発明の写真フイルムパトローネ用容器を示すものである。写真フイルムパトローネ用容器（以下、単に容器とする）３０は、図１０ないし図１２に示した写真フイルムパトローネ１０を収納するための容器であって、それぞれ樹脂の一体成形品からなる容器本体３１と蓋３２とから構成されている。容器本体３１は有底の筒状体をしており、その内部に写真フイルムパトローネ１０を収納した後、開口端側に蓋３２が装着される。容器本体３１の開口端側には溝３３が、また蓋３２の側壁の全周には突条３４が形成されており、容器本体３１に蓋３２を装着したときに、溝３３内に突条３４が嵌まり込み、緊密な嵌合状態が得られるようになっている。なお、写真フイルムパトローネ１０は、スプール軸孔２０ａを露呈した側の側面を容器本体３１の底面側に、また使用表示部材２４を露呈するための表示窓２９ａ〜２９ｄが形成された側の側面を容器本体３１の開口端側に向けて収納される。
【００１３】
容器本体３１の底部内面には、スプール係止部３５が設けられている。図２に示すように、スプール係止部３５は、円錐台状の突起３６の周面に、容器本体３１の底面に対して垂直な方向に延びた薄肉状の突出片３７，３８を連設した構成となっており、容器本体３１の底面に一体に成形される。
【００１４】
図３に示すように、容器本体３１は、その水平断面形状がほぼ楕円状に形成されており、スプール係止部３５は、容器本体３１の長径ＬL と短径ＬS とが交叉する位置に設けられる。一対の突出片３７，３８は突起３６の中心Ｏに対して対称な位置に設けられ、使用表示部材２４が未露光表示位置で係止された写真フイルムパトローネ１０を容器本体３１に収納した際に、いずれか一方が写真フイルムパトローネ１０のキー溝２１ａに係合するように構成されている。本実施形態においては、突出片３７，３８は、容器本体３１の短径ＬS に対する角度θが２０°〜３０°の範囲内となる位置に設けられ、厚みｔが０．１０ｍｍ〜０．２０ｍｍの範囲内となるように構成されている。
【００１５】
また図４に示すように、突起３６は、高さＨが４．０ｍｍ、上底３６ａの直径Ｒ１が１．９ｍｍ、下底３６ｂの直径Ｒ２が３．８ｍｍに構成されている。突出片３７，３８は、容器本体３１の底面に連続する根元側から突起３６の上底３６ｂと同一平面上となる先端側に向かって次第に幅が狭くなるように形成され、根元側の幅Ｗ１が０．７ｍｍ〜１．０ｍｍの範囲内、先端側の幅Ｗ２が０．０ｍｍとなるように構成されている。
【００１６】
上記のように構成された容器本体３１内に写真フイルムパトローネ１０を挿入すると、写真フイルムパトローネ１０の側面に露呈しているスプール軸孔２０ａにスプール係止部３５が嵌着し、写真フイルムパトローネ１０が容器本体３１内で位置決めされる。この際、突起３６が円錐台形状をしているとともに、突出片３７，３８が根元側から先端側に向けて幅が狭くなるように形成されているので、スプール係止部３５は、スプール軸孔２０ａに嵌着する際の先端部が小径に構成され、容易にスプール軸孔２０ａ内に入り込む。
【００１７】
ここで、容器本体３１が回転対称な形状をしているので、写真フイルムパトローネ１０が所定の方向を向いているときか、所定の方向から１８０°回転した方向を向いているときに、この写真フイルムパトローネ１０を容器本体３１に挿入することができる。また、一対の突出片３７，３８が突起３６の中心Ｏに対して対称な位置に設けられているので、使用表示部材２４が未露光表示位置に係止された写真フイルムパトローネ１０を容器本体３１内に挿入すると、突出片３７，３８のいずれか一方がキー溝２１ａと対向し、他方は写真フイルムパトローネ１０の側面と対向する。そして、例えば図５（Ａ）に示すように、突出片３７がキー溝２１ａと対向するときには、突出片３８の傾斜面３８ａにスプール軸孔２０ａの開口縁が引っ掛かり、写真フイルムパトローネ１０は容器本体３１の底面から浮いた状態でスプール係止部３５上に位置決めされる。
【００１８】
この後、容器本体３１の開口端側に蓋３２を装着すると、写真フイルムパトローネ１０が蓋３２の内壁によって容器本体３１の底面側に向けて押し付けられる。これにより、突出片３８が押し潰されて突起３６とともにスプール軸孔２０ａ内に嵌まり込むとともに、突出片３７がその根元部までキー溝２１ａに係合する（図５（Ｂ）参照）。この際、突出片３８の厚みが薄く形成されているので、突出片３８は、特別に大きな力を要することなく容易に押し潰され、蓋３２の装着を妨げることがない。
【００１９】
そして、容器３０内に収納された写真フイルムパトローネ１０は、さらに各々小箱で包装され、２０個ずつ段ボール箱に詰められて小売店へ出荷される。この際、容器本体３１の底面に設けられた突起３６がスプール軸孔２０ａ内に嵌着しているので、写真フイルムパトローネ１０は、容器本体３１内で位置決めされ、そのがたつきが抑えられる。また、突出片３７とキー溝２１ａとが係合しているので、スプール１５の回転が規制され、輸送中に多少の衝撃が加わったとしても使用表示部材２４の係止位置が不当に変化することが防止される。
【００２０】
なお、容器本体３１内に写真フイルムパトローネ１０を挿入した際に、突出片３８がキー溝２１ａと対向する場合には、この容器本体３１に蓋３２を装着すると、突出片３７が写真フイルムパトローネ１０によって押し潰され、突出片３８がキー溝２１ａに係合してスプール１５の回転を規制する。
【００２１】
また、消費者によって容器３０から取り出され、使用された写真フイルムパトローネ１０は、その使用表示部材２４の係止位置が未露光表示位置以外に変化する。したがって、この写真フイルムパトローネ１０を再び容器本体３１内に挿入すると、キー溝２１ａは突出片３７，３８のいずれとも対峙しないことになる。しかし、これらの突出片３７，３８の厚みが薄く形成されているので、この写真フイルムパトローネ１０を容器本体３１内に挿入して蓋３２を装着すると、突出片３７，３８は写真フイルムパトローネ１０の壁面によって容易に押し潰され、消費者に対して取扱い上での違和感を与えることはない。
【００２２】
上記実施形態では、突出片の幅が根元側から先端側に向かって狭くなるように構成したが、図６に示すスプール係止部４０のように、円錐台形状をした突起４１の周面に幅Ｗが均一な突出片４２，４３を設けるようにしてもよい。また、スプール係止部は、必ずしも突起を備える必要はなく、図７に示すスプール係止部４５ように、容器本体３１の底面に一対の突出片４６，４７を個々に設けた構成としもよい。この場合、突出片４６，４７は、容器本体３１の中心Ｃに対して対称な位置に設けるようにすればよい。
【００２３】
また、上記実施形態では、写真フイルムパトローネが所定の方向を向いているときと、所定の方向から１８０°回転した方向を向いているときとのいずれの状態においても、この写真フイルムパトローネを容器本体に収納できるようにした例について説明したが、写真フイルムパトローネの収納向きを一方向に限定すれば、ただ１枚の突出片を設けるだけでよい。
【００２４】
さらに、上記実施形態では、突出片を容器本体の底面に設けたが、本発明では、写真フイルムパトローネの両側面に露呈しているキー溝のうち少なくともいずれか一方に突出片が係合され、スプールの回転が規制されればよいので、スプール係止部を蓋の内壁に設けるようにしてもよい。もちろん、容器本体の底面と蓋の内壁との両方にスプール係止部を設けるようにしてもよい。
【００２５】
【実施例】
次に、突出片の根元側の幅Ｗ１が異なる６種類の容器サンプル品Ａ〜Ｆを作製し、これらサンプル品Ａ〜Ｆのそれぞれについて成形性および耐衝撃性の評価を行った。なお、サンプル品Ａ〜Ｆはいずれも、図２に示した構成のスプール係止部を容器本体の底面に設けるとともに、突出片の厚みｔを０．２５ｍｍに形成した。またサンプル品Ａ〜Ｆは、それぞれ２００個ずつ作製した。
【００２６】
また、耐衝撃性の評価は、各サンプル品に写真フイルムパトローネを収納した状態で落下試験を実施し、この後に写真フイルムパトローネの使用表示部材の係止位置が変化したか否かを確認した。なお、落下試験は、ＪＩＳ−Ｚ−０２０２の方法に従って行い、写真フイルムパトローネが小売店へ出荷される時と同じ形態となるように、サンプル品のそれぞれに使用表示部材が未露光表示位置で係止された写真フイルムパトローネを収納した後に各々小箱で包装し、これを２０個ずつ段ボール箱に詰めた状態で実施した。また、使用表示部材の係止位置の確認は、２００個のサンプル品の中から無作為に５０個を抽出して行い、係止位置が変化する故障の発生率を算出した。
【００２７】
各サンプル品Ａ〜Ｆの突出片の幅Ｗ１と評価結果とを表１にまとめて示す。なお、表中の評価マーク◎は優れている、○は良好、▲は実用限度、×は実用不可能をそれぞれ示している。
【００２８】
【表１】
0003732298.tif 000002
【００２９】
突出片の幅Ｗ１と故障の発生率との関係を図８のグラフに示す。
【００３０】
まず、表１において成形性の評価結果を見てみると、幅Ｗ１の狭い突出片を突起の周面から容器本体の底面にかけて一体に成形することは難しく、幅Ｗ１を広くするにしたがって成形性が向上することがわかる。そして、突出片の幅Ｗ１を１．０ｍｍ以上に構成すれば、この突出片部の成形が極めて容易になる。
【００３１】
次に図８のグラフを見てみると、突出片の幅Ｗ１が狭いと使用表示部材の係止位置が変化する故障が発生しやすく、幅Ｗ１が広くなるにしたがって故障の発生率が低下することがわかる。これは、突出片の幅Ｗ１が狭すぎると、写真フイルムパトローネを収納した際の突出片とキー溝との係合が不十分となり、スプールの係止力が低下するためであると推察できる。そして、突出片の幅Ｗ１を０．７ｍｍ以上に構成すれば、使用表示部材の係止位置が変化する故障の発生率を一般的には許容範囲とされる５％以下に抑えることができ、幅Ｗ１を０．８ｍｍ以上に構成すれば、スプールの不当な回転を抑えて故障の発生を確実に防止することができる。
【００３２】
以上の結果より、突出片の根元側の幅Ｗ１は、０．７ｍｍ〜１．０ｍｍの範囲内に構成するのが好ましく、より好ましくは０．８ｍｍ〜１．０ｍｍの範囲内とするのがよい。
【００３３】
次に、突出片の厚みｔが異なる７種類の容器サンプル品Ｇ〜Ｍを作製し、これらサンプル品Ｇ〜Ｍのそれぞれについて、上記と同じ方法により成形性および耐衝撃性の評価を行った。なお、サンプル品Ｇ〜Ｍはいずれも、図２に示した構成のスプール係止部を容器本体の底面に設けるとともに、突出片の根元側の幅Ｗ１を１．０ｍｍに形成した。各サンプル品Ｇ〜Ｍの突出片の厚みｔと評価結果とを表２にまとめて示す。
【００３４】
【表２】
0003732298.tif 000003
【００３５】
突出片の厚みｔと故障の発生率との関係を図９のグラフに示す。
【００３６】
まず表２において成形性の評価結果を見てみると、厚みｔが極めて薄い突出片を突起の周面から容器本体の底面にかけて一体に成形することは難しく、厚みｔを厚くするにしたがって成形性が向上することがわかる。そして、突出片の厚みｔを０．２０ｍｍ以上に構成すれば、この突出片部の成形が極めて容易になる。しかし、突出片の厚みｔが０．３０ｍｍ，０．５０ｍｍのサンプル品Ｌ，Ｍでは、突出片の物理強度が増大しすぎて可撓性が低下し、キー部と対向しない側の突出片を写真フイルムパトローネの側面で押し潰して変形させることができなかった。このため、容器内に写真フイルムパトローネを収納することができず、実用が不可能であった。
【００３７】
次に図９のグラフを見てみると、突出片の厚みｔが薄いと使用表示部材の係止位置が変化する故障が発生しやすく、厚みｔが厚くなるにしたがって故障の発生率が低下することがわかる。これは、突出片の厚みｔが薄すぎると、突出片の物理強度が低下するためにスプールの係止力が低下するためであると推察できる。そして、突出片の厚みｔを０．１０ｍｍ以上に構成すれば、使用表示部材の係止位置が変化する故障の発生率を、一般的には許容範囲とされる５％以下に抑えることができ、厚みｔを０．１５ｍｍ以上に構成すれば、スプールの不当な回転を抑えて故障の発生を確実に防止することができる。
【００３８】
以上の結果より、突出片の厚みｔは、０．１０ｍｍ〜０．２０ｍｍの範囲内に構成するのが好ましく、より好ましくは０．１５ｍｍ〜０．２０ｍｍの範囲内とするのがよい。
【００３９】
【発明の効果】
以上のように本発明の写真フイルムパトローネ用容器によれば、写真フイルムパトローネのキー溝を露呈している両側面のうち少なくともいずれか一方と対峙する容器内壁面に、使用表示部材が未露光表示位置にあるときにキー溝に係合してスプールの回転を規制する突出片を一体に設けたので、この容器内に写真フイルムパトローネを収納した後にはスプールの係止位置が固定される。これにより、小売店への輸送中や写真フイルムパトローネの開封時に誤って落下させてしまっても、使用表示部材の係止位置は未露光表示位置に保持され、消費者が使用を開始する際に未使用の写真フイルムパトローネであることを認識することができる。
【図面の簡単な説明】
【図１】本発明の写真フイルムパトローネ用容器の構成を示す概略図である。
【図２】図１に示すスプール係止部の斜視図である。
【図３】図１に示す容器本体の水平断面図である。
【図４】図１に示すスプール係止部の側面図である。
【図５】スプール係止部のスプール軸孔への嵌着状態を示す説明図であり、（Ａ）は容器本体に写真フイルムパトローネを挿入した直後の状態、（Ｂ）は容器本体に蓋を装着した後の状態を表している。
【図６】スプール係止部の別の構成を示す側面図である。
【図７】スプール係止部の更に別の構成を示す側面図である。
【図８】突出片の根元側の幅と使用表示部材の係止位置が変化する故障の発生率との関係を示すグラフである。
【図９】突出片の厚みと使用表示部材の係止位置が変化する故障の発生率との関係を示すグラフである。
【図１０】表示機能を備える写真フイルムパトローネの分解斜視図である。
【図１１】図１０に示す写真フイルムパトローネのデータディスクが収納された側の側面図である。
【図１２】図１０に示す写真フイルムパトローネの使用表示部材が収納された側の側面図である。
【符号の説明】
１０  写真フイルムパトローネ
１５  スプール
２０ａ，２０ｂ  スプール軸孔
２１ａ，２１ｂ  キー溝
２４  使用表示部材
２９ａ〜２９ｄ  表示窓
３０  写真フイルムパトローネ用容器
３１  容器本体
３５，４０，４５  スプール係止部
３６，４１  突起
３７，３８，４２，４３，４６，４７  突出片
【図１】
0003732298.tif 000004
【図２】
0003732298.tif 000005
【図３】
0003732298.tif 000006
【図４】
0003732298.tif 000007
【図５】
0003732298.tif 000008
【図６】
0003732298.tif 000009
【図７】
0003732298.tif 000010
【図８】
0003732298.tif 000011
【図９】
0003732298.tif 000012
【図１０】
0003732298.tif 000013
【図１１】
0003732298.tif 000014
【図１２】
0003732298.tif 000015